(57)【要約】【課題】  回転槽に投入される衣類に上下方向の振動を簡単に与えることで、衣類の洗浄効率または乾燥効率を向上させる。【解決手段】  パルセータ１００の上面を、回転軸Ｐから放射状に形成される複数の隆起部１０１と、この隆起部１０１の間に形成される谷部１０２とから構成し、前記隆起部１０１は回転軸Ｐから外周方向に徐々に隆起する形状を備え、前記回転軸Ｐから所定の位置Ｌ１離れた円周の断面形状を展開したときに、前記パルセータ１００の表面は、隆起部１０１から徐々に谷部１０２に至り、谷部１０２から徐々に隆起部１０１に至る波形状とする。【選択図】  図１
2005087579.tif 000002
【特許請求の範囲】
【請求項１】
回転軸を垂直方向に配置した回転槽を備えた電気洗濯機において、
前記回転槽の回転中心に上面形状が略円形のパルセータを設け、
前記パルセータは、回転中心から放射状に形成される複数の隆起部と、この隆起部の間に形成される谷部とから構成し、前記隆起部は回転中心から外周方向に徐々に隆起する形状を備え、前記中心から所定の位置離れた円周の断面形状を展開したときに、前記パルセータの表面は、隆起部から徐々に谷部に至り、谷部から徐々に隆起部に至る波形状である
ことを特徴とする電気洗濯機。
【請求項２】
回転軸を垂直方向に配置した回転槽を備え、乾燥機能を備えた電気洗濯機において、
前記回転槽の回転中心に上面形状が略円形のパルセータを設け、
前記パルセータは、回転中心から放射状に形成される複数の隆起部と、この隆起部の間に形成される谷部とから構成し、前記隆起部は回転中心から外周方向に徐々に隆起する形状を備え、前記中心から所定の位置離れた円周の断面形状を展開したときに、前記パルセータの表面は、隆起部から徐々に谷部に至り、谷部から徐々に隆起部に至る波形状である
ことを特徴とする電気洗濯機。
【請求項３】
洗濯槽にパルセータを備えた電気洗濯機において、前記パルセータは、回転中心から放射状に形成される複数の隆起部と、この隆起部の間に形成される谷部とから構成し、前記隆起部は回転中心から外周方向に徐々に隆起する形状を備え、前記中心から所定の位置離れた円周の断面形状を展開したときに、前記パルセータの表面は、隆起部から徐々に谷部に至り、谷部から徐々に隆起部に至る波形状である
ことを特徴とする電気洗濯機。
【請求項４】
前記パルセータの前記隆起部の数及び前記谷部の数はそれぞれ２であることを特徴とする請求項１乃至３のいずれかに記載の電気洗濯機。
【請求項５】
前記パルセータの前記谷部の外周端部に、前記回転槽または前記洗濯槽の内壁に沿って、凹曲面を備えることを特徴とする請求項１乃至４のいずれかに記載の電気洗濯機。
【発明の詳細な説明】
【技術分野】
【０００１】
本発明は、洗濯物に対して機械力を付与するパルセータを有する電気洗濯機または乾燥機能を備えた電気洗濯機に関する。
【背景技術】
【０００２】
洗濯槽を縦型に配置した電気洗濯機は、その洗濯槽の回転中心にパルセータを設け、このパルセータの回転で洗濯槽内の水流を攪拌することで洗濯槽内の衣類の洗濯を可能としている。このパルセータは円盤の中央から放射状に形成される凸状の複数のリブを備えている。これら従来例は、洗濯槽内に満たした水を前記パルセータにより攪拌し、その攪拌される水流により衣類の洗浄を行うものである。
【０００３】
【特許文献１】特開２００２−１１９７８４号公報
【発明の開示】
【発明が解決しようとする課題】
【０００４】
前記従来の洗濯機は、パルセータによって洗濯槽内の水に旋回力を与え、それによって衣類を攪拌することで、衣類の洗浄を行うことを主眼としている。このため、適正な衣類に対して適正な水量が必要である。水量が少ないと、上記特許文献にも記載されている通り、前記パルセータの凸リブに衣類が直接衝突し、その時の衝撃や表面の摩擦により、衣類が傷むという不具合が生じていた。
【０００５】
また、近年、洗濯槽を縦型に配置した電気洗濯機に乾燥機能を備えたものが脚光を浴びている。これらの乾燥洗濯機は、前記パルセータの表面に複数の温風穴を設けて、このパルセータを回転槽に水を入れない状態で回転させるため、衣類の攪拌が起こりにくく、衣類が絡んで団子状態になったり、回転軸近傍と外周の回転速度差により衣類が捻じれてしわが生じるなどの課題や、乾燥に時間が掛かるという課題がある。
【０００６】
そこで、この発明の目的は、パルセータの回転により、衣類を上下に振動させて、衣類をたたき洗いするように洗浄することが可能な洗濯機を提供することに有る。
【０００７】
また、本発明の他の目的は、パルセータの回転により、衣類を上下に振動させて、衣類のたたき洗いと、良好な乾燥効率が得られる、乾燥機能を備えた洗濯機を提供することにある。
【課題を解決するための手段】
【０００８】
前記課題を解決するために、この発明では、パルセータの上面を、回転中心から放射状に形成される複数の隆起部と、この隆起部の間に形成される谷部とから構成し、前記隆起部は回転中心から外周方向に徐々に隆起する形状を備え、前記中心から所定の位置はなれた円周の断面形状を展開したときに、前記パルセータの表面は、隆起部から徐々に谷部に至り、谷部から徐々に隆起部に至る波形状とする。
【発明の効果】
【０００９】
本発明によれば、回転槽に投入される衣類に上下方向の振動を簡単に与えることで、衣類の洗浄効率または乾燥効率を向上させることができる。
【発明を実施するための最良の形態】
【００１０】
ここで説明する最良の実施の形態は、回転軸を上下方向に配置した回転槽を備えた電気洗濯機または乾燥洗濯機に関するものであり、その特徴は、前記回転槽の回転軸に上面形状が略円形のパルセータを設け、このパルセータの上面を、回転軸から放射状に形成される複数の隆起部と、この隆起部の間に形成される谷部とから構成し、前記隆起部を回転軸から外周方向に徐々に隆起する形状とすることで、前記回転軸から所定の位置離れた円周の断面形状を展開したときに、前記パルセータの表面が隆起部から徐々に谷部に至り、谷部から徐々に隆起部に至る波形状を備えるようにした点にある。
【００１１】
この最良の形態に係る電気洗濯機または電気乾燥洗濯機によれば、回転槽に投入される衣類に上下方向の振動を簡単に与えることで、衣類の洗浄効率あるいは乾燥効率を向上させることができる。なお、このパルセータによれば、脱水機能を持たない電気洗濯機のパルセータでも同様な作用効果を得ることができる。
【００１２】
以下、図１から図６４を参照して、この実施の形態に係る電気洗濯機または電気乾燥洗濯機を説明する。図１から図３は本発明を電気洗濯機に適用した第１の実施の形態を示し、図４から図６は乾燥洗濯機に適用した第２の実施の形態を示し、図７から図６４には、これら電気洗濯機または電気乾燥洗濯機に適用されるパルセータの他の実施の形態を示している。なお、同一の部位や機能部分は同一符号をもって示し、重複した説明を省略する。
（第１の実施の形態）
図１から図３は、筐体内に回転軸を上下方向とする回転槽を備えた電気洗濯機に、このパルセータを適用した第１の実施の形態である。
【００１３】
先ず、図１を参照して、この電気洗濯機の概略構造を説明する。図１は概略構図であり、（ａ）図が電気洗濯機の断面図、（ｂ）図がパルセータの斜視図、（ｃ）図がパルセータの展開断面面図である。
【００１４】
この電気洗濯機１は、箱型の筐体１０と、この筐体１０の上部を覆う上カバー２０とから構成される。前記筐体１０は、この筐体１０の底面を構成する樹脂成形品の下部筐体１１と、筐体１０の上部を構成する鋼板性の上部筐体１２から構成される。この筐体１０の上部４隅には吊棒取付部１３が設けられ、この吊棒取付部１３に取り付けられる吊棒１４を介して洗濯槽３０が４点支持されるように筐体１０に取り付けられる。
【００１５】
前記洗濯槽３０は、上部に開放した容器であり、この洗濯槽３０内に回転槽４０が配置され、この回転槽４０と前記洗濯槽３０の下部に設けられるモータ３１とがこのモータ３１の回転軸３２を介して取り付けられる。前記回転槽４０は、上部が開放した円柱形状の容器であり、周囲に複数の脱水用の穴４１が形成されている。前記回転槽４０の底には前記モータ３１の回転軸３２の先端が露出し、この先端部にパルセータ１００が取り付けられる。ここで、前記パルセータ１００は、前記モータ３１の回転軸３２に直結され、前記回転槽４０は、図示しないクラッチ機構により、前記モータ３１の回転軸３２に接続されたりフリーにすることができる。
【００１６】
したがって、この洗濯機１によれば、パルセータ１００を独立して、あるいは回転槽４０と連動して回転させることにより、回転槽４０に投入した衣類の洗濯を行うことができるし、また、回転槽４０を高速回転させることにより、脱水を行うことができる。
【００１７】
一方、前記上カバー２０には、前記回転槽４０の上部開放部４２に合わせて衣類投入口２１が設けられ、その上部に蓋体２２が設けられる。更に、この蓋体２２の前部に操作パネル部２３が配置される。なお、前記上部開放部４２にはリング状のバランサ４３が取り付けられている
そして、この電気洗濯機１の大きな特徴の１つは、回転槽４０内の衣類を上下に振動させることで、衣類のたたき洗いを可能とするパルセータ１００を採用した点である。このパルセータ１００は、（ｂ）図に示すように、略円形の上面形状を有し、その表面は、回転軸Ｐから放射状に形成される複数の隆起部１０１と、この隆起部１０１の間に形成される谷部１０２とから構成される。この実施の形態では、パルセータ１００の回転軸Ｐを挟んで形成される２つの隆起部１０１ａ、１０１ｂと、この隆起部１０１の間に形成される２つの谷部１０２ａ、１０２ｂとを備えている。
【００１８】
前記隆起部１０１は回転軸Ｐから外周方向に徐々に隆起する形状とし、前記回転軸Ｐから所定の距離Ｌ１離れた位置の断面形状を展開したときに、前記パルセータ１００の表面は、（ｃ）図に示すように、谷部１０２ａから徐々に上昇して隆起部１０１ａに至り、この隆起部１０１ａから徐々に下降して谷部１０２ｂに至り、この谷部１０２ｂから再び徐々に上昇して隆起部１０１ｂに至り、更に隆起部１０１ｂから再び徐々に下降して谷部１０２ａに至る波形状を備えている。
そして、このパルセータ１００は、前記回転槽４０の底面全体がほぼ前記パルセータ１００によって覆われる大きさを備えている。これにより、パルセータ１００の上面を構成する波形の曲面は回転槽４０の内壁面にほぼ連続して配置される。ここで、この実施の形態では、パルセータ１００と回転槽４０との嵌合を良好にするために、回転槽４０の底部の外周にリング状の縁体４４を残し、この縁体４４の内側のパルセータ受部４５にパルセータ１００が配置される。
【００１９】
このパルセータ１００によれば、例えば、パルセータ１００の回転軸Ｐの近傍に存在する衣類は、パルセータ１００の回転で生じる遠心力により、回転軸Ｐの近傍から外周方向に移動する。この移動の過程において、前記パルセータ１００上に存在する衣類は、パルセータ１００の隆起部１０１と谷部１０２とで形成される波形の表面の上を移動する。即ち、衣類は，慣性力によりその位置に止まろうとするので、パルセータ１００の波形の表面を滑りながら移動する。これを衣類の上下の動きでみると、衣類は上下に振動するような動きをとる。ここで、このパルセータ１００の波形の表面を構成する隆起部１０１と谷部１０２の差（段差）Ｌ２は、回転軸Ｐの近傍では小さく、外周に行くにしたがって大きくなる。したがって、遠心力によりパルセータ１００の中心から外周に移動する衣類の上下の動きをみると、回転軸Ｐから外周に移動するのにしたがって徐々に上下の動きを大きくする。しかも、この上下の移動を大きくする衣類は内輪差（回転軸Ｐの近傍と外周の円周の差（速度差））により回転運動、即ち、衣類を反転させる動きをともなって移動する。
【００２０】
そして、外周に至った衣類は、次々に送られてくる他の衣類により、回転槽４０の内壁面を上昇し、再び回転軸Ｐの近傍に至る動きを行う。
【００２１】
この洗濯機１によれば、回転槽４０内に満たされる水量が少ないと、より前記たたき洗いの効果を得ることができる。したがって、攪拌流によって洗濯を行う従来例に比べて、水量を少なくすることができる。しかも、たたき洗いのような、上下に衣類を振動させ、しかも振幅幅を徐々に大きくするので、洗浄効果を向上することができる。
【００２２】
次に、図２を参照して、このパルセータの特徴を更に説明する。図２はこの実施の形態に係る動作原理の概略図であり、（ａ）図が回転槽の断面斜視図、（ｂ）図は衣類の振動動作を示すグラフである。
【００２３】
図２において、この実施の形態では、パルセータ１００の上面に形成される隆起部１０１と谷部１０２は交互に等間隔で配置される。図面上では、説明をわかりするために、隆起部１０１と谷部１０２の折り返し部分（稜線）を直線で示している。これによって、隆起部１０１や谷部１０２が回転軸Ｐに対して対称となるので、パルセータ１００を高速回転させても回転軸がぶれることがない。
【００２４】
また、（ａ）図に示すように、この実施の形態では、円盤の上面を回転軸Ｐを通る線（谷部）から折り返し、両側に向かって徐々に立ちあげる平板状の傾斜面としている。したがって、この実施の形態では、パルセータ１００の上面を構成する２つの半円形面が、V字状に折り返された形状としている。
【００２５】
つまり、隆起部１０１は、回転軸Ｐから外周方向に徐々に隆起する形状であり、谷部１０２は、回転軸Ｐから外周に方向にほぼ水平に伸びた形状としている。ここで、谷部１０２は、図面上、鋭角に図示されているが小さなアールや平坦面で連続されている。また、この実施の形態では、谷部１０２は水平に形成されているが、外周方向に徐々に隆起する形状でもよい。ここで、重要なのは、回転軸Ｐから等距離の地点での隆起部１０１と谷部１０２の段差Ｌ２である。
【００２６】
この実施の形態では、パルセータ１００の回転により衣類を上下に振動させることで洗浄力を向上させるので、ほぼ前記段差Ｌ２がほぼ衣類の振動幅Ｌ２となる。したがって、パルセータ１００の上面は回転軸Ｐから外周方向に徐々に振幅幅Ｌ２を大きくする波形の曲面で構成している。
【００２７】
傾斜面の傾斜角度Θ（パルセータの回転方向に対する角度）と洗濯物の上下方向の動き及び布絡みとの関係を実験的に調べてみると、洗濯物の上下方向の動きは、傾斜面の傾斜角度に比例して増加していくが、ある角度でピークを迎え、それ以上では逆に減少した。このことから、最適な傾斜角度があることが分った。これは、傾斜角度が大きすぎると、洗濯物が傾斜面に押されパルセータの表面を滑りにくくなり、傾斜面の上方に移動しづらくなるためである。実験的結果によれば、傾斜角度Θは１５〜２５°が好適であり、この時、傾斜面の高低差はパルセータ直径の０．１３〜０．２２倍程度となる。
【００２８】
一方、実験結果によれば、布絡みは、洗濯物の上下動が減少しだす傾斜角度以上で急に増加しだす。これは、傾斜角度が大きすぎると、洗濯物はパルセータ１００の表面を滑りにくく、傾斜面の谷部で団子状になり、転がるような運動をするからである。
【００２９】
次に、この図２を参照して、洗浄される衣類の動きを更に説明する。
【００３０】
先ず、図２の（ａ）図において、回転槽４０内に投入される衣類は、矢印に示すように、パルセータ１００の回転軸Ｐから外周方向に移動し、回転槽４０の内壁に沿って上昇し、更に回転槽４０の回転軸Ｐの上方に移動し、回転軸Ｐに沿って下降し、再びパルセータ１００に沿って、回転軸Ｐから外周方向に移動する軌跡を通る。
【００３１】
つまり、パルセータ１００の回転軸Ｐの近傍に存在する衣類は、パルセータ１００の回転で生じる遠心力により、回転軸Ｐの近傍から外周に移動して、回転槽４０の内壁面に至る。回転軸Ｐの近傍は衣類の移動により空くので、次の衣類がこの回転軸Ｐの近傍に上方から供給される。先に外周に移動した衣類は次々に送り込まれる衣類によって内壁面に沿って上昇する。そして、上昇した衣類は、上層の回転軸Ｐの近傍に送り出され、更に回転軸Ｐに沿って下降する。このように、衣類はパルセータ１００の回転による循環を行う。
【００３２】
そして、この実施の形態の大きな特徴は、パルセータ１００の回転軸Ｐから外周方向に移動する過程において、前記パルセータ１００上に存在する衣類が、パルセータ１００の隆起部１０１と谷部１０２とで形成される波形の表面の上を滑りながら移動することにより、徐々に上下方向の振幅を大きくする点にある。即ち、パルセータ１００の表面に位置する衣類は，慣性力によりその位置に止まろうとするので、パルセータ１００の波形の表面を滑りながら移動する。これを上下の動きでみると、衣類は波形の形状に沿って上下に移動する。
【００３３】
ここで、このパルセータ１００の波形の表面は、隆起部１０１と谷部１０２の差（段差Ｌ２）は、回転軸Ｐの近傍では小さく、外周に行くにしたがって大きくなっている。したがって、遠心力によりパルセータ１００の回転軸Ｐから外周に移動する衣類の上下の動きをみると、回転軸から外周に移動するのにしたがって徐々に上下の動きが大きくなる。
【００３４】
（ｂ）図は、この徐々に上下方向の振幅幅Ｌ２を大きくする衣類の移動を模式的に示したものである。Ｘ軸が中心位置からの距離、Ｙ軸が衣類の上下の振幅幅Ｌ２（高さ）を示している。また、Ｑ１はパルセータ１００の１回転を示している。図から明らかなように、回転軸Ｐの近傍にある衣類は、当初振幅幅Ｌ２は小さいが、遠心力により、外周方向に行くにしたがって、その振幅幅Ｌ２は大きくなり、パルセータ１００の外周端部に至った衣類は回転槽４０の内壁面に沿って上昇し、再び回転軸Ｐの近傍に至る循環サイクルを繰り返す。
【００３５】
しかも、この上下の移動を大きくする衣類は、外周と内周の内輪差により回転運動、即ち、衣類を反転させる動きをともなって移動する。したがって、回転槽４０内を循環する衣類は、反転させながら上下の動きを徐々に大きくする洗浄を繰り返すので、たたき洗いを行っていると同様な効果を得ることができる。
【００３６】
特に、従来のパルセータは平坦な上面から凸リブが張り出しているため、この凸リブに衣類があたって衣類の耐久性を弱める課題がある。しかし、この実施の形態では、パルセータの上面が緩やかな波形形状の曲面としているので、衣類は、この上面を滑るように移動するので、衣類の耐久性を弱めるのを軽減できる。また、従来例では内輪差により、衣類が捻じれて絡む課題が有るが、この実施の形態では、この課題を軽減することができる。
【００３７】
次に、図３を参照して、この実施の形態に係るパルセータの外観形状を更に説明する。図３は、パルセータの外観図であり、（ａ）図が斜視図、（ｂ）図が正面図、（ｃ）図が上面図、（ｄ）図が右側面図、（ｅ）図が横断面図、（ｆ）図が底面図である。なお、背面図は正面図と、左側面図は右側面図と対称につき省略している。
【００３８】
この実施の形態に係るパルセータ１００は、１つの成形型で形成される成形品である。この実施の形態では、軽量化を図るために樹脂材料で形成している。なお、樹脂材料で形成する場合、回転中心の強度を高めるために、モータの回転軸３２が取り付けられる軸受部１０４に金属材料を取り付けたり一体成形してもよい。
【００３９】
この実施の形態では、材料費の低減や軽量化を図るために、（ｅ）図や（ｆ）図に示すように、波形の曲面の肉圧を薄くしている。このような薄肉構造をとると、強度が弱くなるので、底面側に複数の補強リブ１０３を設けている。この補強リブ１０３は、前記隆起部１０１の頂点と谷部１０２の底部に対応する位置に十字状に形成し、更に、回転軸Ｐの周囲に複数のリング状の補強リブを形成することで、上面から加わる荷重に対応することができる。また、このパルセータ１００は回転体であるので、回転軸Ｐを中心に前記補強リブ１０３が対称となるように形成している。
【００４０】
前記したように、この実施の形態に係るパルセータ１００は、上面を回転軸Ｐを通る線分（谷部１０２）で分割し、その両側を徐々に立ちあげて形成される傾斜面からなる隆起部１０１としている。したがって、（ｂ）図に示す正面図においては、上面形状がほぼＶ字形状を成し、（ｄ）図に示す左右側面図においては弧状の形状を備えている。更に、この実施の形態では、波形の上面の周囲に縁部１０５を形成することで強度を高くしている。
【００４１】
この縁部１０５は、上面の平面部分が周端部で屈曲して、垂直面を形成するように形成される。また、この実施の形態では、縁部１０５の下部が水平となるように形成され、谷部１０２では縁部１０５の高さ（幅）が小さく、隆起部１０１では高さ（幅）が大きくなっている。
【００４２】
図２の（ａ）図に示すように、このパルセータ１０１は、回転槽４０の底部に形成した凹状のパルセータ受部４５に収納され、前記モータ３１の回転軸３２に取り付けられる。パルセータ受部４５とパルセータ１００との隙間は、パルセータ１００の縁部１０５がパルセータ受部４５の内壁面に接触することなく、かつ、この隙間に衣類や硬貨などが混入しない程度の大きさとする。
【００４３】
また、このパルセータ１００は、前記パルセータ受部４５に取り付けられた時に、パルセータ１００の最頂部、即ち、隆起部１０１の外周部分の高さが、前記パルセータ受部４５の周囲に形成されるリング状の縁体４４とほぼ面一となるようにしている。このため、Ｖ字状となった部分では、パルセータ受部４５の内壁４５ａが露出し、この露出した部分に衣類が適度に接触して洗浄効果の向上が期待できる。
【００４４】
このように、この実施の形態によれば、パルセータ１００の回転により、衣類を上下に振動させて、たたき洗いと同様に洗浄することができる。また、上記説明では、パルセータ１００の一方向の動きで衣類の動きを説明したが、パルセータ１００を反転回転させたり、あるいは回転槽４０とパルセータとの回転を多様に組み合わせることにより洗浄効果を向上することが期待できる。
（第２の実施の形態）
次に、図４から図６を参照して、衣類に波形の上下振動を加えて、良好な衣類洗浄および衣類乾燥を行うことが可能な第２の実施の形態に係る電気乾燥洗濯機を説明する。
【００４５】
先ず、図４を参照して、この実施の形態に係る乾燥洗濯機の概略構造を説明する。図４は、概略構図であり、（ａ）図が乾燥洗濯機の断面図、（ｂ）図がパルセータの斜視図、（ｃ）図がパルセータの展開面図である。
【００４６】
この実施の形態は、前記第１の実施の形態で採用したパルセータ１００と同様な構造を備えたパルセータ１１０を採用しいている。ただ、このパルセータ１１０が前記電気洗濯機１で採用されるパルセータ１００と違うのは、その表面に複数の小穴からなる通風部１１１を設けている点である。
【００４７】
先ず、図４の（ａ）図を参照して、この乾燥洗濯機５の概略構造を説明する。ここでは、前記第１の実施の形態と構造の異なる点を説明し、同様な構造部分は同一符号をもって示して重複した説明を省略する。この乾燥洗濯機５は、洗濯槽３０に温風循環機能を備えている。この実施の形態では、洗濯槽３０の裏面側に温風循環部５０を設けている。
【００４８】
即ち、この乾燥洗濯機５は、洗濯槽３０に温風を吹き込むことで衣類の洗浄に加えて乾燥機能を備えている。この構造を更に説明する。図４において、この電気乾燥洗濯機５は、上下に蛇行した温風ダクト５１を備えて、この温風ダクト５１内にシャワー水冷除湿器５２、温度センサ５３、送風機５４、ヒータ５５を設けている。
【００４９】
前記温風ダクト５１は、前記洗濯槽３０の下端から上方に立ちあがり（第１の上昇ダクト５１ａ）、前記洗濯槽３０の上端部近傍で下降して（下降ダクト５１ｂ）前記洗濯槽３０の下方（前記モータ３１に隣接した位置）に設けられている前記送風機５４に連通する。
前記温風ダクト５１は、前記送風機５４から再び立ちあがり（第２の上昇ダクト５１ｃ）前記洗濯槽３０の上端から回転槽４０の中に温風を供給する構造となっている。
【００５０】
なお、洗濯槽３０の上部開放部には開閉蓋５６が設けられて、温風が洗濯槽３０の外に漏れるのを防いでいる。
【００５１】
このように、この実施の形態では、前記第１の上昇ダクト５１ａと下降ダクト５１ｂを介して一度温風ダクト５１を前記洗濯槽３０の上方近傍まで持ち上げることによって、前記洗濯槽３０内の水が前記送風機５４に侵入するのを防ぐことができる。
【００５２】
また、前記第１の上昇ダクト５１ａを利用して前記シャワー水冷除湿器５２を配置することができる。このシャワー水冷除湿器５２は前記第１の上昇ダクト５１ａの上部に設けられ、水をシャワー状に吹きかけることにより温風を冷やしてこれを除湿することができる。また、前記下降ダクト５１ｂを利用して上下に温度センサ５３を設けている。そして、第２の上昇ダクト５１ｃの上端にはヒータ５５を設けている。
【００５３】
この構造によれば、前記ヒータ５５で空気を暖めて前記洗濯槽３０の衣類に吹きかけ、前記洗濯槽３０の複数の穴４１やパルセータ１１０の上面に設けた通風部１１１から湿った空気を前記第１の上昇ダクト５１ａに取り込んで前記シャワー水冷除湿器５２で湿った空気を集めて除湿した後、下降ダクト５１ｂ経由で送風機５４に乾いた空気を取り込んで、再び第２の上昇ダクト５１ｃを介して前記ヒータ５５に供給することができる。
【００５４】
前記したように、この乾燥洗濯機５で採用するパルセータは、第１の実施の形態のパルセータ１００の上面に通風部１１１を設けたものを採用することができる。その構造を図４の（ｂ）図と（ｃ）図及び図５に示す。図５は、パルセータの外観図であり、（ａ）図が斜視図、（ｂ）図が正面図、（ｃ）図が上面図、（ｄ）図が右側面図、（ｅ）図が横断面図、（ｆ）図が底面図である。なお、背面図は正面図と、左側面図は右側面図と対称につき省略している。
【００５５】
詳細構造は、図３の説明と重複するため省略する。ただ、前記通風部１１１は、小さな小穴をパンチング状に配列し、回転軸Ｐの周囲に円形状に形成したものである。この通風部１１１の領域は、円形状に限定したものではない。詳細については、後で説明する。
【００５６】
次に、図６を参照して、この実施の形態に係る電気乾燥洗濯機５の衣類乾燥のときの衣類の動きを従来例との比較で説明する。図６は、衣類乾燥時の回転槽４０内の衣類の動きを説明するものであり、Ａ−１からＡー３が従来例を示し、Ｂー１からＢー４がこの実施の形態の衣類の動きを示している。
【００５７】
先ず、従来例の電気乾燥洗濯機は、洗濯槽３０から水を抜いて前記温風循環部５０から温風を供給しながらパルセータを回転させることで衣類の乾燥を行う。このような従来例では、パルセータの円盤上面に放射状の突出するリブが設けられているため、このリブに洗濯物が擦ることによる摩擦作用や、洗濯物を変形させることによって乾燥が行われる。このため、従来例では、Ａ−１に示すように、遠心力で外周に向かって衣類が移動するものの、凸リブによる回転方向への力の方が強い。そして、Ａ−２のように、衣類が回転方向に回りながらパルセータ上で衣類の入れ替わりが起こる。更に、Ａ−３に示すように、パルセータ上に衣類が均一に広がっており、内周と外周の回転速度の差により衣類の捻じれ現象が起こっていた。したがって、従来のパルセータでは、衣類が団子状になりやすく布絡みが発生しやすかった。しかも、前記捻じれ現象により、しわの発生や乾燥の仕上がり、乾燥時間などに課題を残していた。
【００５８】
これに対し、この電気洗濯乾燥機５によれば、前記した洗濯時と同様な衣類の動きにより、前記従来例の課題を軽減させることができる。即ち、この実施の形態では、パルセータ１１０の上面が緩やかに連続する平滑な面で形成されているため、Ｂ−１に示すようにパルセータ１１０の回転により、その遠心力で衣類が滑るようにパルセータ１１０上を外周に向かって移動する。この移動の過程において、このパルセータ１１０では、その回転により、Ｂ−２に示す谷部１０２と、Ｂ−３に示す隆起部１０１とが交互に生じるので、パルセータ上の衣類は、上下の振動を繰り返して外周に向かって移動する。しかも、この実施の形態では、高低差が外周に行くにつれて大きいので、衣類の上下移動を徐々に大きくしながら移動する。そして、Ｂ―４に示すように、遠心力で外周に至った衣類は、次々に送られてくる衣類に押されて回転槽４０の内壁面を上昇して、回転軸Ｐの上層に至り、衣類の移動により開いた回転軸Ｐの下層に至る。
【００５９】
このように、この実施の形態によれば、第１の実施の形態で説明した洗濯時と同様な原理で、衣類が徐々に上下振動を大きくしながら外周に移動して再び中央に至る循環を繰り返す。しかも、内側と外側の速度差により、衣類が適度に反転するので、布絡みが発生しにくく、しかも、捻じれ現象やしわの発生も起こりにくい。また、上下振動により衣類がほぐされ、その隙間に温風が入り込みやすくなるので、乾燥時間を短縮することができる。
（他の実施の形態）
このように、この実施の形態によれば、波形の表面形状を備えたパルセータ１００、１１０を採用することにより、前記たたき洗いの効果やたたき乾燥の効果を得ることができる。しかし、この効果は、前記した第１または第２の実施の形態に係るパルセータ１００、１１０の形状に限定したものではない。即ち、パルセータの遠心力により外周に移動する衣類が緩やかな波形の軌道を持って移動することが可能な上面形状を備えたパルセータであれば、第１、第２の実施の形態と同様な作用効果を得ることができる。
【００６０】
図７は、このパルセータの代表的な他の展開要素をまとめたものである。図７は、横軸が展開要素、縦軸が代表的な応用例を示したものである。また、図６４はパルセータを回転槽に取り付けた状態図である。以下、この図７及び図６４に基づいて、図８から図６３に示す他の具体的なパルセータの実施の形態を説明する。
【００６１】
図７において、A段は縁部１０５の形状の展開要素、B段は隆起部１０１と谷部１０２の個数の展開要素、C、D段は波形の曲面形状の展開要素、E、F段は波形の上面に形成するリブ１０６の展開要素である。なお、他の代表的な要素として、電気乾燥洗濯機５に採用するときに必要な通気部１１１や、補強リブ１０３の展開要素については、後で説明する。
【００６２】
先ず、A段は縁部１０５の展開要素は、代表的なものとして、Ａ−１、Ａ−２、Ａ−３がある。この縁部１０５の前記３つの違いは、谷部１０２と、回転槽４０との連続の仕方に大きな違いがある。Ａ−１によれば、図２（ａ）図に示すように、Ｖ字状となった部分では、パルセータ受部４５の内壁４５ａが露出し、この露出した部分に衣類が適度に接触して洗浄効果の向上が期待できる。一方、図６４（ａ）図に示すように、Ａ―２によれば、前記内壁４５ａが谷部１０２の外周端部に形成される凹曲面１２３で隠蔽されるので、この凹曲面により、衣類が回転槽４０の内壁を上昇しやすくすることができる。
また、前記Ａ−３によれば、（ｂ）図に示すように、図２（ａ）図のものと、図６４（ａ）図のものの中間的な形態であるので、Ｖ字状の谷部１０２の外周端部に高さの低い凹曲面を残したため、部分的に内壁４５ａが露出するので、両方の効果を兼ね備えることができる。以下、この３つの実施の形態を更に説明する。
【００６３】
先ず、A−１は、前記第１、第２の実施の形態に係るパルセータ１００と同様であり、波形の上面から上方に突出する縁部１０５がないものである。即ち、図３、図５に示すように、正面から見て、隆起部１０１と谷部１０２とでＶ字状を形成するものである。重複した説明は省略する。
（第３の実施の形態）
次に、A−２は、縁部１０５を最頂部の高さでパルセータ１２０の周囲に形成したものである。このパルセータ１２０は、ほぼ薄い皿あるいは底が浅いお椀形状を備え、この薄い皿の内面を、前記第１、２の実施の形態と同様に、波形に形成したものである。これを図８に示す第３の実施の形態で説明する。
【００６４】
例えば、前記Aー2の構成を備えたパルセータ１２０を図８に示す。図８は、第３の実施の形態に係るパルセータの外観図であり、（ａ）図が斜視図、（ｂ）図が正面図、（ｃ）図が上面図、（ｄ）図が右側面図、（ｅ）図が横断面図、（ｆ）図が底面図である。なお、背面図は正面図と、左側面図は右側面図と対称につき省略している。
【００６５】
この実施の形態に係るパルセータ１２０は、浅いお椀形状の内面形状を備え、回転軸Ｐに対して対向する縁部１０５の所定の位置から回転軸Ｐに向かって、お椀の内面を傾斜面１２１ａ、１２１ｂで形成するものである。これを上面からみると、略円形の外周内に楕円形状の傾斜面を形成している。この楕円形状の傾斜面は、断面形状がほぼV字型に形成される前記２つの傾斜面から構成される。そして、楕円形状の傾斜面の長手方向の頂点部１２２が前記縁部１０５に接触または近接して形成され、前記長手方向の両側部分は、前記傾斜面と前記縁部１０５とを連続させる凹曲面１２３で形成される。
【００６６】
この実施の形態では、パルセータ１２０の外周に形成される縁部１０５を同一の高さに形成することで、強度が得やすい形状としている。また、図６４（ａ）図に示すように、このパルセータ１２０を回転槽４０に取り付けた時は、前記縁部１０５と回転槽４０の縁体４４を面一とすることができるので、回転槽４０とパルセータ１２０との接触を少なくすることができる。特に、このV字型の谷部の部分に存在する衣類は、谷部１０２の外周端部に形成した前記凹曲面１２３で縁体４４に引きあげられ、更に回転槽４０の内面に沿って上昇するので、第１の実施の形態に比べて、衣類の擦れを少なくすることができる。
【００６７】
（第４の実施の形態）
例えば、前記Aー３の形状を備えたパルセータ１３０を図９に示す。図９は、第４の実施の形態に係るパルセータの外観図であり、（ａ）図が斜視図、（ｂ）図が正面図、（ｃ）図が上面図、（ｄ）図が右側面図、（ｅ）図が横断面図、（ｆ）図が底面図である。なお、背面図は正面図と、左側面図は右側面図と対称につき省略している。
【００６８】
この実施の形態に係るパルセータ１３０は、第１の実施の形態と第３の実施の形態の中間的な外観形状を備えるものである。つまり、この実施の形態でも、２つの傾斜面１２１ａ、１２１ｂをほぼV字形状とし、このV字形状の中間位置にリング状の縁部１０５を形成している。したがって、前記V字形状の傾斜面１２１ａ、１２１ｂの両側部分（最頂部１２２近傍）は前記縁部１０５から上方に張り出し、谷部の両端部は前記縁部１０５と凹曲面１３１で形成される。
【００６９】
この実施の形態では、図６４（ｂ）図に示すように、このパルセータ１２０を回転槽４０に取り付けた時は、Ｖ字状の最も鋭角な部分を前記凹曲面１３１で緩和して、パルセータ受部４５の内壁４５ａに連続させ、また、その上部に内壁面４５ａを一部露出させることで、この露出した部分に衣類が適度に接触して洗浄効果の向上が期待できる。したがって、このパルセータ１３０によれば、内壁面４５ａと衣類が適度に接触して洗浄効果の向上が期待できるとともに、衣類の循環についても良好にすることができる。
【００７０】
図７に戻り、次に、ＢからＦ段およびその他の展開例を説明する。以後の説明では、実施の形態の外観図面を特徴的な部分（部分意匠）を実線で示し、前記実施の形態と同様な部分については破線で示す。もちろん、前記特徴的な部分と破線とで構成される全体形状も新規な部分であるが、説明を分かりやすくするためである。
【００７１】
Ｂ段は、隆起部１０１と谷部１０２の個数の展開要素を示している。例えば、Ｂ―１は隆起部と谷部がそれぞれ１個で構成されるもの、Ｂ―２は隆起部と谷部がそれぞれ２個で構成されるもの、Ｂ―３が隆起部と谷部がそれぞれ３個で構成されるものを示している。この他、隆起部と谷部がそれぞれ４個で構成されるものも考えられる。Ｂ―１はパルセータ上面の約半分が隆起部で、他の半分がフラットな谷部で構成する。また、Ｂ―２は前記第１から第４の実施の形態のものである。また、Ｂ―３は隆起部を１２０度間隔で配置し、その間に谷部を設けたものである。この実施の形態では、隆起部と谷部とを緩やかに連続させることで、この波形の上面を滑るように衣類を移動させることを主眼としている。このため、隆起部と谷部をあまり多くすると、前記効果が薄れる。また、パルセータは、高速で回転する状態も有りうるため、回転軸Ｐに対して非対称となるＢ―１は不向きな要素を備えている。もちろん、低速回転を想定した洗濯機や乾燥洗濯機であれば有効である。この点からすれば、最も有効なものはＢ―２であると言える。もちろん、Ｂ―３及び隆起部を４個としたものが有効でないと言うものではない。
【００７２】
C、D段は波形の曲面形状の展開要素を示したものである。Ｃ―１は谷部と隆起部をフラットな傾斜面で構成したものである。これは、前記第１及び第４の実施の形態で説明したものである。Ｃ―２は谷部を大きな凹曲面で構成したもの、Ｃ―３は谷部を幅広のフラット面で構成したもの、Ｄ―１は隆起部を凸曲面で構成したもの、Ｄ―２はＣ２とＤ１の組み合わせ、即ち大きな凹曲面の谷部と凸曲面の隆起部とを組み合わせたものである。また、Ｄ―３は谷部に突起を設けたもの、例えば、回転軸Ｐに上方に張り出した軸受部１０４を設けるなどしたものである。
【００７３】
また、E、F段は波形の上面に形成するリブ１０６を設けた展開要素である。前記したように、この実施の形態のパルセータは、波形に形成した上面を滑るように衣類を移動させる点にある。しかし、衣類が汚れを落とす要因にパルセータや回転槽４０との擦れによる要因も大きい。そこで、この実施の形態では、パルセータ上面に僅かな張り出したリブ１０６を設けることにより、本パルセータの特徴であるたたき洗いの効果を維持しつつ、擦れによる衣類の洗浄効果を得ることができる。
【００７４】
リブ１０６の設け方にはさまざまな形状が考えられるが、代表的なものを、Ｅ，Ｆ段に示す。ここで、実線が谷部、点線が隆起部の中央を示している。Ｅ―１は谷部に沿って棒状のリブ１０６を設けたものである。また、Ｅ―２は、前記Ｅ１の棒状のリブ１０６ａに加えて、放射状の棒状のリブ１０６ｂ、１０６ｃを追加したものである。更に、Ｅ３は隆起部の中央部分に放射状に伸びる棒状のリブ１０６を設けたものである。
【００７５】
一方、リブ１０６は棒状に限定されるものではない、例えば、Ｆ―１のように複数の球状突起を谷部を挟んで両側の傾斜面に設けたものや、Ｆ―２に示すように両側の傾斜面に複数の球状リブを設けたものである。
【００７６】
以下、図７で説明した具体的な実施の形態を順次説明する。なお、斜面図において、立体イメージを表現するために陰影線を使用している。
【００７７】
以下の第５から第８の実施の形態は、図７のＢ―１の構成要素を備えた回転軸Ｐに対して非対称なものである。
（第５の実施の形態）
図１０は、第５の実施の形態に係るパルセータ１４０の実施の形態であり、（ａ）図が斜視図、（ｂ）図が正面図、（ｃ）図が右側面図、（ｄ）図が横断面図、（ｅ）図が縦断面図、（ｆ）図が上面図、（ｇ）図が底面図、（ｈ）図がｆ図に２点破線で示した部分の断面展開図、（ｊ）図が左側面図である。なお、背面図は正面図と対称につき省略している。
【００７８】
このパルセータ１４０は、図７のＡ―１、Ｂ―１、Ｄ−２の要素を備えている。このパルセータ１４０は、回転軸Ｐで左右に分割され、一方を隆起部１０１、他方をフラットな谷部１０２としている。そして、前記隆起部１０１の傾斜面は凸状の湾曲面で形成されているので谷部１０２と緩やかに連続する波形の形状としている。
（第６の実施の形態）
図１１は、第６の実施の形態に係るパルセータ１５０の実施の形態であり、（ａ）図が斜視図、（ｂ）図が正面図、（ｃ）図が右側面図、（ｄ）図が横断面図、（ｅ）図が縦断面図、（ｆ）図が上面図、（ｇ）図が底面図、（ｈ）図が図１０（ｈ）と同様な断面展開図である。なお、背面図は正面図と、左側面図は右側面図と対称につき省略している。
【００７９】
このパルセータ１５０は、図７のＡ―２、Ｂ―１、Ｃ−２の要素を備えている。このパルセータ１５０は、お椀形の内面が回転軸Ｐで左右に分割され、一方を隆起部１０１、他方をフラットな谷部１０２としている。そして、前記フラットな谷部１０２と周囲の縁部１０５が凹曲面１２３で連続されている。
（第７の実施の形態）
図１２は、第７の実施の形態に係るパルセータ１６０の実施の形態であり、（ａ）図が斜視図、（ｂ）図が正面図、（ｃ）図が右側面図、（ｄ）図が横断面図、（ｅ）図が縦断面図、（ｆ）図が上面図、（ｇ）図が底面図、（ｈ）図が図１０（ｈ）と同様な断面展開図である。なお、背面図は正面図と、左側面図は右側面図と対称につき省略している。
【００８０】
このパルセータ１６０は、図７のＡ―３、Ｂ―１、Ｃ−２の要素を備えている。このパルセータ１６０は、浅いお皿の内面が回転軸Ｐで左右に分割され、一方を頂点が縁部１０５から張り出した隆起部１０１、他方をフラットな谷部１０２としている。そして、前記フラットな谷部１０２と周囲の縁部１０５が凹曲面１３１で連続されている。
（第８の実施の形態）
図１３は、第８の実施の形態に係るパルセータ１７０の実施の形態であり、（ａ）図が斜視図、（ｂ）図が正面図、（ｃ）図が右側面図、（ｄ）図が左側面図、（ｅ）図が上面図、（ｆ）図が底面図、（ｇ）図が断面図である。なお、背面図は正面図と対称につき省略している。
【００８１】
このパルセータ１７０は、図７のＡ―１、Ｂ―１、Ｃ−１の要素を備えている。このパルセータ１７０は、回転軸Ｐから外れた位置で左右に分割され、広い一方を隆起部１０１とし、狭い他方をフラットな谷部１０２としている。この実施の形態によれば、緩やかな曲面を得ながら段差（振幅幅）Ｌ２を大きくすることができる。
【００８２】
以下の第９から第１４の実施の形態は、図７のＢ―２の構成要素を備えたものである。
（第９の実施の形態）
図１４は、第９の実施の形態に係るパルセータ１８０の実施の形態であり、（ａ）図が斜視図、（ｂ）図が正面図、（ｃ）図が右側面図、（ｄ）図が横断面図、（ｅ）図が縦断面図、（ｆ）図が上面図、（ｇ）図が底面図、（ｈ）図が図１０（ｈ）と同様な断面展開図である。なお、背面図は正面図と対称につき省略している。
【００８３】
このパルセータ１８０は、図７のＡ―１、Ｂ―２、Ｄ−２の要素を備えている。このパルセータ１８０は、回転軸Ｐを通る谷部１０２を凹曲面で構成し、この凹曲面と、前記隆起部１０１の傾斜面を構成する凸状の湾曲面とを緩やかに連続する波形の形状としている。
（第１０の実施の形態）
図１５は、第１０の実施の形態に係るパルセータ１９０の実施の形態であり、（ａ）図が斜視図、（ｂ）図が正面図、（ｃ）図が右側面図、（ｄ）図が横断面図、（ｅ）図が縦断面図、（ｆ）図が上面図、（ｇ）図が底面図、（ｈ）図が図１０（ｈ）と同様な断面展開図である。なお、背面図は正面図と左側面図は右側面図と対称につき省略している。
【００８４】
このパルセータ１９０は、図７のＡ―１、Ｂ―２、Ｃ−１の要素を備えている。このパルセータ１９０は、回転軸Ｐを通る谷部１０２を蛇行させ、その両側に傾斜面からなる隆起部１０１を形成したものである。
（第１１の実施の形態）
図１６は、第１１の実施の形態に係るパルセータ２００の実施の形態であり、（ａ）図が斜視図、（ｂ）図が正面図、（ｃ）図が右側面図、（ｄ）図が横断面図、（ｅ）図が縦断面図、（ｆ）図が上面図、（ｇ）図が底面図、（ｈ）図が図１０（ｈ）と同様な断面展開図である。なお、背面図は正面図と左側面図は右側面図と対称につき省略している。
【００８５】
このパルセータ２００は、図７のＡ―１、Ｂ―２、Ｃ−３の要素を備えている。このパルセータ２００は、回転軸Ｐを通る谷部１０２を帯状のフラット面で構成し、このフラット面と、前記隆起部１０１の傾斜面とを緩やかに連続する波形の形状としている。
（第１２の実施の形態）
図１７は、第１２の実施の形態に係るパルセータ２１０の実施の形態であり、（ａ）図が斜視図、（ｂ）図が正面図、（ｃ）図が右側面図、（ｄ）図が横断面図、（ｅ）図が縦断面図、（ｆ）図が上面図、（ｇ）図が底面図、（ｈ）図が図１０（ｈ）と同様な断面展開図である。なお、背面図は正面図と左側面図は右側面図と対称につき省略している。
【００８６】
このパルセータ２１０は、図７のＡ―２、Ｂ―２、Ｄ−２の要素を備えている。このパルセータ２１０は、お碗形の内面の形状を、回転軸Ｐに対して対向する部分に隆起部１０１を形成し、その間に谷部１０２を形成する。前記隆起部１０１は凸曲面で形成し、谷部１０２は前記隆起部１０１の裾野を緩やかに連続する凹曲面で形成する。これによって、（ｈ）図に示すように、回転軸Ｐから所定の距離は離れた位置の断面を展開したときに、波形を描くように形成している。このため、衣類の移動がスムーズとなる。
【００８７】
また、この実施の形態では、前記波形の上面に通風部１１１を設けた乾燥洗濯機のものである。この通風部１１１は無数の小穴で構成し、回転軸Ｐの周囲にリング状に設けている。
（第１３の実施の形態）
図１８は、第１３の実施の形態に係るパルセータ２２０の実施の形態であり、（ａ）図が斜視図、（ｂ）図が正面図、（ｃ）図が右側面図、（ｄ）図が横断面図、（ｅ）図が縦断面図、（ｆ）図が上面図、（ｇ）図が底面図、（ｈ）図が図１０（ｈ）と同様な断面展開図である。なお、背面図は正面図と左側面図は右側面図と対称につき省略している。
【００８８】
このパルセータ２２０は、図７のＡ―２、Ｂ―２、Ｄ−２の要素を備えている。このパルセータ２２０は、前記パルセータ２１０から通風部１１１を取り除いた、洗濯機用のパルセータである。
（第１４の実施の形態）
図１９は、第１４の実施の形態に係るパルセータ２３０の実施の形態であり、（ａ）図が斜視図、（ｂ）図が正面図、（ｃ）図が右側面図、（ｄ）図が横断面図、（ｅ）図が縦断面図、（ｆ）図が上面図、（ｇ）図が底面図、（ｈ）図が図１０（ｈ）と同様な断面展開図である。なお、背面図は正面図と左側面図は右側面図と対称につき省略している。
【００８９】
このパルセータ２３０は、図７のＡ―３、Ｂ―２、Ｄ−２の要素を備えている。このパルセータ２３０は、浅いお皿の内面が回転軸Ｐで左右に分割され、両方の隆起部１０１の頂点が縁部１０５から張り出させている。前記隆起部１０１は凸曲面で形成され、前記谷部１０２は前記隆起部１０１の裾野を凹曲面で緩やかに連続させる波形の形状としている。
【００９０】
次に、以下の第１５から第２２の実施の形態は、図７のＢ―３の構成要素を備えたものである。
（第１５の実施の形態）
図２０は、第１５の実施の形態に係るパルセータ２４０の実施の形態であり、（ａ）図が斜視図、（ｂ）図が正面図、（ｃ）図が右側面図、（ｄ）図が背面図、（ｅ）図が（ｆ）図のＡ−Ａ‘断面図、（ｆ）図が上面図、（ｇ）図が底面図、（ｈ）図が図１０（ｈ）と同様な断面展開図である。なお、左側面図は右側面図と、Ｂ−Ｂ’断面図はＡ−Ａ‘断面図と対象につき省略している。
【００９１】
このパルセータ２４０は、図７のＡ―１、Ｂ―３、Ｄ−２の要素を備えている。このパルセータ２４０は、回転軸Ｐから１２０度の角度で放射状に形成される隆起部１０１と、その間に放射状に形成される谷部１０２とから構成される。前記隆起部１０１は凸曲面で形成され、前記谷部１０２は前記隆起部１０１の裾野を凹曲面で緩やかに連続させる波形の形状としている。
（第１６の実施の形態）
図２１は、第１６の実施の形態に係るパルセータ２５０の実施の形態であり、（ａ）図が斜視図、（ｂ）図が正面図、（ｃ）図が右側面図、（ｄ）図が背面図、（ｅ）図が（ｆ）図のＡ−Ａ‘断面図、（ｆ）図が上面図、（ｇ）図が底面図、（ｈ）図が図１０（ｈ）と同様な断面展開図である。なお、左側面図は右側面図と、Ｂ−Ｂ’断面図はＡ−Ａ‘断面図と対象につき省略している。
【００９２】
このパルセータ２５０は、図７のＡ―２、Ｂ―３、Ｄ−２の要素を備えている。このパルセータ２５０は、お碗状の内面に、回転軸Ｐから１２０度の角度で放射状に形成される隆起部１０１と、その間に放射状に形成される谷部１０２とから構成される。前記隆起部１０１は凸曲面で形成され、前記谷部１０２は前記隆起部１０１の裾野を凹曲面で緩やかに連続させる波形の形状としている。
（第１７の実施の形態）
図２２は、第１７の実施の形態に係るパルセータ２６０の実施の形態であり、（ａ）図が斜視図、（ｂ）図が正面図、（ｃ）図が右側面図、（ｄ）図が背面図、（ｅ）図が（ｆ）図のＡ−Ａ‘断面図、（ｆ）図が上面図、（ｇ）図が底面図、（ｈ）図が図１０（ｈ）と同様な断面展開図である。なお、左側面図は右側面図と、Ｂ−Ｂ’断面図はＡ−Ａ‘断面図と対象につき省略している。
【００９３】
このパルセータ２６０は、図７のＡ―３、Ｂ―３、Ｄ−２の要素を備えている。このパルセータ２６０は、浅いお皿の内面に、回転軸Ｐから１２０度の角度で放射状に形成される隆起部１０１と、その間に放射状に形成される谷部１０２とから構成される。前記隆起部１０１の最頂部は縁部１０５から上方に張り出して形成される。また、前記隆起部１０１は凸曲面で形成され、前記谷部１０２は前記隆起部１０１の裾野を凹曲面で緩やかに連続させる波形の形状としている。
【００９４】
次に、前記図１５で説明した蛇行する谷部１０２を備えた第１０の実施の形態では、図７のＡ―１とＢ２の要素の組み合わせで説明したが図２３に示すように、Ａ―２、Ａ−３でも、あるいはＢ１、Ｂ２、Ｂ３の組み合わせでもよい。
【００９５】
図２３、図２４は、蛇行する谷部１０２を備えた他の実施の形態を示している。ここで、図２３、図２４では、斜視図を持ってその形態を表現している。他の正面図や側面図などの外観６面図や断面図は、図１５や該当する図面から容易に推察できるため省略している。
【００９６】
先ず、図２３の（ａ）図は図１０に示す実施の形態、（ｂ）図は図１１に示す実施の形態、（ｃ）図は図１２に示す実施の形態、（ｄ）図は図１３に示す実施の形態、（ｅ）図は図１８に示す実施の形態、（ｆ）図は図１９に示す実施の形態の谷部１０２を蛇行させたものである。また、図２４の（ａ）図は図２０に示す実施の形態、（ｂ）図は図２１に示す実施の形態、（ｄ）は図２２に示す実施の形態の谷部１０２を蛇行させたものである。
【００９７】
次に、図７のＥ、Ｆのリブ１０６の具体的な応用例を図２５から図４２を参照して説明する。また、実施の形態の一部は、ここでも斜視図を持ってその形態を表現し、他の正面図や側面図などの外観６面図や断面図は、原型となる該当図面から容易に推察できるため省略している。
（第１８の実施の形態）
図２５は、第１８の実施の形態に係るパルセータ２７０の実施の形態であり、（ａ）図が斜視図、（ｂ）図が正面図、（ｃ）図が右側面図、（ｄ）図が横断面図、（ｅ）図が縦断面図、（ｆ）図が平面図、（ｇ）図が底面図、（ｈ）図が図１０（ｈ）と同様な断面展開図である。なお、背面図は正面図と、左側面図は右側面図と対象につき省略している。
【００９８】
このパルセータ２７０は、図７のＡ−３、Ｂ―２、Ｄ−２の構成要素を備えている。そして、凹曲面から谷部１０２に放射状でかつ棒状の１本のリブ１０６を設けている。
（第１９の実施の形態）
図２６は、第１９の実施の形態に係るパルセータ２８０の実施の形態であり、（ａ）図が斜視図、（ｂ）図が正面図、（ｃ）図が右側面図、（ｄ）図が横断面図、（ｅ）図が縦断面図、（ｆ）図が平面図、（ｇ）図が底面図、（ｈ）図が図１０（ｈ）と同様な断面展開図である。なお、背面図は正面図と、左側面図は右側面図と対象につき省略している。
【００９９】
このパルセータ２７０は、図７のＡ−２、Ｂ―２、Ｃ−１の構成要素を備えている。そして、隆起部１０１の傾斜面に放射状でかつ棒状の１本のリブ１０６を設けている。  
（第２０の実施の形態）
図２７は、第２０の実施の形態に係るパルセータ２９０の実施の形態であり、（ａ）図が斜視図、（ｂ）図が正面図、（ｃ）図が右側面図、（ｄ）図が背面図、（ｅ）図が（ｆ）図のＡ−Ａ‘断面図、（ｆ）図が上面図、（ｇ）図が底面図、（ｈ）図が図１０（ｈ）と同様な断面展開図である。なお、左側面図は右側面図と、Ｂ−Ｂ’断面図はＡ−Ａ‘断面図と対象につき省略している。このパルセータ２９０は、図７のＡ−１、Ｂ―３、Ｃ−１の構成要素を備えている。そして、隆起部１０１の傾斜面に放射状でかつ棒状の１本のリブ１０６をそれぞれ設けている。
（第２１の実施の形態）
図２８は、第２１の実施の形態に係るパルセータ３００の実施の形態であり、（ａ）図が斜視図、（ｂ）図が正面図、（ｃ）図が右側面図、（ｄ）図が横断面図、（ｅ）図が縦断面図、（ｆ）図が平面図、（ｇ）図が底面図、（ｈ）図が図１０（ｈ）と同様な断面展開図である。なお、背面図は正面図と、左側面図は右側面図と対象につき省略している。
【０１００】
このパルセータ３００は、図７のＡ−１、Ｂ―２、Ｄ−２の構成要素を備えている。そして、隆起部１０１の傾斜面に放射状でかつ棒状の３本のリブ１０６をそれぞれ設けている。
（第２２の実施の形態）
図２９は、第２２の実施の形態に係るパルセータ３１０の実施の形態であり、（ａ）図が斜視図、（ｂ）図が正面図、（ｃ）図が右側面図、（ｄ）図が横断面図、（ｅ）図が縦断面図、（ｆ）図が平面図、（ｇ）図が底面図、（ｈ）図が図１０（ｈ）と同様な断面展開図である。なお、背面図は正面図と、左側面図は右側面図と対象につき省略している。
【０１０１】
このパルセータ３００は、図７のＡ−１、Ｂ―２、Ｄ−２の構成要素を備えている。そして、隆起部１０１の傾斜面に複数の半球状の突起からなるリブ１０６をそれぞれ設けている。
（第２３の実施の形態）
図３０は、第２３の実施の形態に係るパルセータ３２０の実施の形態であり、（ａ）図が斜視図、（ｂ）図が正面図、（ｃ）図が右側面図、（ｄ）図が背面図、（ｅ）図が（ｆ）図のＡ−Ａ‘断面図、（ｆ）図が上面図、（ｇ）図が底面図、（ｈ）図が図１０（ｈ）と同様な断面展開図である。なお、左側面図は右側面図と、Ｂ−Ｂ’断面図はＡ−Ａ‘断面図と対象につき省略している。このパルセータ３２０は、図７のＡ−１、Ｂ―３、Ｄ−２の構成要素を備えている。そして、谷部１０２に沿って半球状の複数の突起からなるリブ１０６をそれぞれ設けている
次に、図３１から図４２は前記リブ１０６を前記した他のパルセータの上面形状に組み合わせたものである。これら図３１から図４２に示すパルセータは平面図のみ示し、他の図面は既に説明した図面から容易に判断できるため省略している。
【０１０２】
先ず、図３１は、前記図１０に示す第5の実施の形態のパルセータに多様なリブ１０６を配置したものである。（ａ）図、（ｂ）図、（ｃ）図は傾斜面である隆起部１０１と、フラットな谷部１０２にリブ１０６を設けたものであり、（ｄ）図、（ｅ）図、（ｆ）図は隆起部１０１とフラットな谷部１０２の区切り線に沿ってリブ１０６を設けたものである。
【０１０３】
次に、図３２は、前記図１１に示す第６の実施の形態のパルセータに多様なリブ１０６を配置したものである。（ａ）図、（ｂ）図、（ｃ）図は傾斜面である隆起部１０１と、フラットな谷部１０２にリブ１０６を設けたものであり、（ｄ）図、（ｅ）図、（ｆ）図は隆起部１０１とフラットな谷部１０２の区切り線に沿ってリブ１０６を設けたものである。
【０１０４】
次に、図３３は、前記図１２に示す第７の実施の形態のパルセータに多様なリブ１０６を配置したものである。（ａ）図、（ｂ）図、（ｃ）図は傾斜面である隆起部１０１と、フラットな谷部１０２にリブ１０６を設けたものであり、（ｄ）図、（ｅ）図、（ｆ）図は隆起部１０１とフラットな谷部１０２の区切り線に沿ってリブ１０６を設けたものである。
【０１０５】
次に、図３４は、前記図１３に示す第８の実施の形態のパルセータに多様なリブ１０６を配置したものである。（ａ）図、（ｂ）図、（ｃ）図は傾斜面である隆起部１０１と、フラットな谷部１０２にリブ１０６を設けたものであり、（ｄ）図、（ｅ）図、（ｆ）図は隆起部１０１とフラットな谷部１０２の区切り線に沿ってリブ１０６を設けたものである。
【０１０６】
次に、図３５は、前記図１４に示す第９の実施の形態のパルセータに多様なリブ１０６を配置したものである。（ａ）図、（ｂ）図、（ｃ）図は一対の傾斜面である隆起部１０１にリブ１０６を設けたものであり、（ｄ）図、（ｅ）図、（ｆ）図は谷部１０２に沿ってリブ１０６を設けたものである。
【０１０７】
次に、図３６は、前記図１５に示す第１０の実施の形態のパルセータに多様なリブ１０６を配置したものである。（ａ）図、（ｂ）図、（ｃ）図は一対の傾斜面である隆起部１０１にリブ１０６を設けたものである。
【０１０８】
次に、図３７は、前記図１６に示す第１１の実施の形態のパルセータに多様なリブ１０６を配置したものである。（ａ）図、（ｂ）図、（ｃ）図は一対の傾斜面である隆起部１０１にリブ１０６を設けたものであり、（ｄ）図、（ｅ）図、（ｆ）図は谷部１０２に沿ってリブ１０６を設けたものである。
【０１０９】
次に、図３８は、前記図１８に示す第１３の実施の形態のパルセータに多様なリブ１０６を配置したものである。（ａ）図、（ｂ）図、（ｃ）図は一対の傾斜面である隆起部１０１にリブ１０６を設けたものであり、（ｄ）図、（ｅ）図、（ｆ）図は谷部１０２に沿ってリブ１０６を設けたものである。
【０１１０】
次に、図３９は、前記図１９に示す第１４の実施の形態のパルセータに多様なリブ１０６を配置したものである。（ａ）図、（ｂ）図、（ｃ）図は一対の傾斜面である隆起部１０１にリブ１０６を設けたものであり、（ｄ）図、（ｅ）図、（ｆ）図は谷部１０２に沿ってリブ１０６を設けたものである。
【０１１１】
次に、図４０は、前記図２０に示す第１５の実施の形態のパルセータに多様なリブ１０６を配置したものである。（ａ）図、（ｂ）図、（ｃ）図は３の傾斜面である隆起部１０１にリブ１０６を設けたものであり、（ｄ）図、（ｅ）図、（ｆ）図は谷部１０２に沿ってリブ１０６を設けたものである。
【０１１２】
次に、図４１は、前記図２１に示す第１６の実施の形態のパルセータに多様なリブ１０６を配置したものである。（ａ）図、（ｂ）図、（ｃ）図は３の傾斜面である隆起部１０１にリブ１０６を設けたものであり、（ｄ）図、（ｅ）図、（ｆ）図は谷部１０２に沿ってリブ１０６を設けたものである。
【０１１３】
次に、図４２は、前記図２２に示す第１７の実施の形態のパルセータに多様なリブ１０６を配置したものである。（ａ）図、（ｂ）図、（ｃ）図は３の傾斜面である隆起部１０１にリブ１０６を設けたものであり、（ｄ）図、（ｅ）図、（ｆ）図は谷部１０２に沿ってリブ１０６を設けたものである。
【０１１４】
次に、図４３から図６０を参照して、前記した各実施の形態のパルセータに前記通風部１１１を採用したものを説明する。図４３から図６０は平面図のみ示し、他の各図は既に説明したものと同様のため省略している。前記通風部１１１は多様な応用例が考えられるが、ここでは代表的なものを示す。
【０１１５】
先ず、図４３は前記図１０に示す第５の実施の形態のパルセータに多様な前記通風部１１１を配置したものである。（ａ）図は回転軸Ｐの周囲に複数の小穴からなるリング状の前記通風部１１１を設けたものであり、（ｂ）図は前記通風部１１１を隆起部１０１とフラットな谷部１０２に分割して設けたものである。
次に、図４４は前記図１１に示す第６の実施の形態のパルセータに多様な前記通風部１１１を配置したものである。（ａ）図は回転軸Ｐの周囲に複数の小穴からなるリング状の前記通風部１１１を設けたものであり、（ｂ）図は前記通風部１１１を隆起部１０１とフラットな谷部１０２に分割して設けたものである。
次に、図４５は前記図１２に示す第７の実施の形態のパルセータに多様な前記通風部１１１を配置したものである。（ａ）図は回転軸Ｐの周囲に複数の小穴からなるリング状の前記通風部１１１を設けたものであり、（ｂ）図は前記通風部１１１を隆起部１０１とフラットな谷部１０２に分割して設けたものである。
次に、図４６は前記図１３に示す第８の実施の形態のパルセータに多様な前記通風部１１１を配置したものである。（ａ）図は、複数の小穴からなるリング状の通風部１１１を隆起部１０１に設け、フラットな谷部１０２には溝状の通風部１１１を設けたものである。また、（ｂ）図はフラットな谷部１０２にのみ溝状の通風部１１１を設けたものである。
次に、図４７は前記図１４に示す第９の実施の形態のパルセータに多様な前記通風部１１１を配置したものである。（ａ）図は回転軸Ｐの周囲に複数の小穴からなるリング状の前記通風部１１１を設けたものであり、（ｂ）図は通風部１１１を一対の隆起部１０１に分割して設けたものである。
次に、図４８は前記図１５に示す第１０の実施の形態のパルセータに多様な前記通風部１１１を配置したものである。（ａ）図は回転軸Ｐの周囲に複数の小穴からなるリング状の前記通風部１１１を設けたものであり、（ｂ）図は通風部１１１を一対の隆起部１０１に分割して設けたものである。
次に、図４９は前記図１６に示す第１０の実施の形態のパルセータに多様な前記通風部１１１を配置したものである。（ａ）図は帯状の谷部に溝状の通風部１１１を設けたものであり、（ｂ）図は通風部１１１を一対の隆起部１０１に分割して設けたものである。
次に、図５０は前記図１８に示す第１３の実施の形態のパルセータに多様な前記通風部１１１を配置したものである。（ａ）（ｂ）図は複数の小穴からなる通風部１１１を一対の隆起部１０１に分割して設けたものである。
次に、図５１は前記図１９に示す第１４の実施の形態のパルセータに多様な前記通風部１１１を配置したものである。（ａ）図は回転軸Ｐの周囲に複数の小穴からなるリング状の前記通風部１１１を設けたものであり、（ｂ）図は通風部１１１を一対の隆起部１０１に分割して設けたものである。
次に、図５２は前記図２０に示す第１５の実施の形態のパルセータに多様な前記通風部１１１を配置したものである。（ａ）図は回転軸Ｐの周囲に複数の小穴からなるリング状の前記通風部１１１を設けたものであり、（ｂ）図は通風部１１１を３の隆起部１０１に分割して設けたものである。
次に、図５３は前記図２１に示す第１６の実施の形態のパルセータに多様な前記通風部１１１を配置したものである。（ａ）図は回転軸Ｐの周囲に複数の小穴からなるリング状の前記通風部１１１を設けたものであり、（ｂ）図は通風部１１１を３の隆起部１０１に分割して設けたものである。
次に、図５４は前記図２２に示す第１７の実施の形態のパルセータに多様な前記通風部１１１を配置したものである。（ａ）図は回転軸Ｐの周囲に複数の小穴からなるリング状の前記通風部１１１を設けたものであり、（ｂ）図は通風部１１１を３の隆起部１０１に分割して設けたものである。
【０１１６】
次に、図５５から図６０はリブ１０６と通風部１１１とを組み合わせたパルセータの上面図を示している。
先ず、図５５において、（ａ）図は図２５の、（ｂ）図は図３０の、（ｃ）図は図３１（ｄ）の、（ｄ）図は図３１（ｅ）の、（ｅ）図は図３１（ｆ）のそれぞれの傾斜面に通風部１１１を設けたものである。
次に、図５６において、（ａ）図は図３２（ｄ）の、（ｂ）図は図３２（ｅ）の、（ｃ）図は図３２（ｆ）の、（ｄ）図は図３３（ｄ）の、（ｅ）図は図３３（ｅ）の、（ｆ）図は図３３（ｆ）のそれぞれの傾斜面に通風部１１１を設けたものである。
次に、図５７において、（ａ）図は図３４（ｄ）の、（ｂ）図は図３４（ｅ）の、（ｃ）図は図３４（ｆ）の、（ｄ）図は図３５（ｄ）の、（ｅ）図は図３５（ｅ）の、（ｆ）図は図３５（ｆ）のそれぞれの傾斜面に通風部１１１を設けたものである。
次に、図５８において、（ａ）図は図３７（ｄ）の、（ｂ）図は図３７（ｅ）の、（ｃ）図は図３７（ｆ）の、（ｄ）図は図３８（ｄ）の、（ｅ）図は図３８（ｅ）の、（ｆ）図は図３８（ｆ）のそれぞれの傾斜面に通風部１１１を設けたものである。
次に、図５９において、（ａ）図は図３９（ｄ）の、（ｂ）図は図３９（ｅ）の、（ｃ）図は図３９（ｆ）の、（ｄ）図は図４０（ｄ）の、（ｅ）図は図４０（ｅ）の、（ｆ）図は図４０（ｆ）のそれぞれの傾斜面に通風部１１１を設けたものである。
次に、図６０において、（ａ）図は図４１（ｄ）の、（ｂ）図は図４１（ｅ）の、（ｃ）図は図４１（ｆ）の、（ｄ）図は図４２（ｄ）の、（ｅ）図は図４２（ｅ）の、（ｆ）図は図４２（ｆ）のそれぞれ傾斜面に通風部１１１を設けたものである。
次に、図６１から図６３は、回転軸Ｐに中央隆起部１０７を設けたものである。ここで説明するパルセータは、回転軸Ｐの上層にある衣類が下層に至って外周に向かって移動するため、回転軸Ｐ部分を隆起させてもよい。このようにすれば、例えば、パルセータの取り付けをこの中央隆起部１０７で行うことができるので、パルセータの取り付けにともなう上下の高さを軽減できる。なお、ここでは、前記中央隆起部１０７を上面と一体に形成したもので説明するが、例えば、パルセータの取り付けようの別体のキャップなどでもよい。
（第２４の実施の形態）
先ず、図６１は、第２４の実施の形態に係るパルセータ３３０の実施の形態であり、（ａ）図が斜視図、（ｂ）図が正面図、（ｃ）図が右側面図、（ｄ）図が横断面図、（ｅ）図が縦断面図、（ｆ）図が上面図、（ｇ）図が底面図、（ｈ）図が図１０（ｈ）と同様な断面展開図である。なお、背面図は正面図と対称につき省略している。
（第２５の実施の形態）
図６２は、第２５の実施の形態に係るパルセータ３４０の実施の形態であり、（ａ）図が斜視図、（ｂ）図が正面図、（ｃ）図が右側面図、（ｄ）図が横断面図、（ｅ）図が縦断面図、（ｆ）図が上面図、（ｇ）図が底面図、（ｈ）図が図１０（ｈ）と同様な断面展開図である。なお、背面図は正面図と対称につき省略している。
（第２６の実施の形態）
図６３は、第２６の実施の形態に係るパルセータ３４０の実施の形態であり、（ａ）図が斜視図、（ｂ）図が正面図、（ｃ）図が右側面図、（ｄ）図が背面図、（ｅ）図が（ｆ）図のＡ−Ａ‘断面図、（ｆ）図が上面図、（ｇ）図が底面図、（ｈ）図が図１０（ｈ）と同様な断面展開図である。なお、左側面図は右側面図と、Ｂ−Ｂ’断面図はＡ−Ａ‘断面図と対象につき省略している。
以上説明したように、この発明を構成するパルセータは多様な構成（形状）を取ることができる。したがって、前記した実施の形態は一実施の形態であり、これに限定されるものではない。
【０１１７】
例えば、パルセータの底面の補強リブの形状も図示した形状のものに限定されるものではない。即ち、回転軸に対して対称なものであればよい。
【０１１８】
また、前記したパルセータは１つの型で形成されるもので説明したが、パルセータの上面を構成する上カバーと、下部を構成する下カバーからなどして、２つの成型品で構成してもよい。このようにすれば、下カバーに強度的な面をもたせ、上カバーに補強リブを設けないようにできるので、ヒケなどが発生しにくく、意匠性を向上できる。
【産業上の利用可能性】
【０１１９】
本発明は、衣類の洗浄や乾燥を行う分野に利用できる。
【図面の簡単な説明】
【０１２０】
【図１】この発明に係る第１の実施の形態の電気洗濯機の概略構造図である。
【図２】この発明に係る第１の実施の形態の電気洗濯機の動作原理の概略図である。
【図３】この発明に係る第１の実施の形態のパルセータの外観図である。
【図４】この発明に係る第２の実施の形態の電気乾燥洗濯機の概略構造図である。
【図５】この発明に係る第２の実施の形態のパルセータの外観図である。
【図６】衣類乾燥時の比較対比図である。
【図７】パルセータの代表的な展開要素の説明図である。
【図８】第３の実施の形態に係るパルセータの外観図である。
【図９】第４の実施の形態に係るパルセータの外観図である。
【図１０】第５の実施の形態に係るパルセータの外観図である。
【図１１】第６の実施の形態に係るパルセータの外観図である。
【図１２】第７の実施の形態に係るパルセータの外観図である。
【図１３】第８の実施の形態に係るパルセータの外観図である。
【図１４】第９の実施の形態に係るパルセータの外観図である。
【図１５】第１０の実施の形態に係るパルセータの外観図である。
【図１６】第１１の実施の形態に係るパルセータの外観図である。
【図１７】第１２の実施の形態に係るパルセータの外観図である。
【図１８】第１３の実施の形態に係るパルセータの外観図である。
【図１９】第１４の実施の形態に係るパルセータの外観図である。
【図２０】第１５の実施の形態に係るパルセータの外観図である。
【図２１】第１６の実施の形態に係るパルセータの外観図である。
【図２２】第１７の実施の形態に係るパルセータの外観図である。
【図２３】蛇行する谷部を備えた他の実施の形態を示外観図である。
【図２４】蛇行する谷部を備えた他の実施の形態を示外観図である。
【図２５】第１８の実施の形態に係るパルセータの外観図である。
【図２６】第１９の実施の形態に係るパルセータの外観図である。
【図２７】第２０の実施の形態に係るパルセータの外観図である。
【図２８】第２１の実施の形態に係るパルセータの外観図である。
【図２９】第２２の実施の形態に係るパルセータの外観図である。
【図３０】第２３の実施の形態に係るパルセータの外観図である。
【図３１】リブ備えた他のパルセータの外観図である。
【図３２】リブ備えた他のパルセータの外観図である。
【図３３】リブ備えた他のパルセータの外観図である。
【図３４】リブ備えた他のパルセータの外観図である。
【図３５】リブ備えた他のパルセータの外観図である。
【図３６】リブ備えた他のパルセータの外観図である。
【図３７】リブ備えた他のパルセータの外観図である。
【図３８】リブ備えた他のパルセータの外観図である。
【図３９】リブ備えた他のパルセータの外観図である。
【図４０】リブ備えた他のパルセータの外観図である。
【図４１】リブ備えた他のパルセータの外観図である。
【図４２】リブ備えた他のパルセータの外観図である。
【図４３】通風部備えた他のパルセータの外観図である。
【図４４】通風部備えた他のパルセータの外観図である。
【図４５】通風部備えた他のパルセータの外観図である。
【図４６】通風部備えた他のパルセータの外観図である。
【図４７】通風部備えた他のパルセータの外観図である。
【図４８】通風部備えた他のパルセータの外観図である。
【図４９】通風部備えた他のパルセータの外観図である。
【図５０】通風部備えた他のパルセータの外観図である。
【図５１】通風部備えた他のパルセータの外観図である。
【図５２】通風部備えた他のパルセータの外観図である。
【図５３】通風部備えた他のパルセータの外観図である。
【図５４】通風部備えた他のパルセータの外観図である。
【図５５】通風部備えた他のパルセータの外観図である。
【図５６】通風部備えた他のパルセータの外観図である。
【図５７】通風部備えた他のパルセータの外観図である。
【図５８】通風部備えた他のパルセータの外観図である。
【図５９】通風部備えた他のパルセータの外観図である。
【図６０】通風部備えた他のパルセータの外観図である。
【図６１】第２４の実施の形態に係るパルセータの外観図である。
【図６２】第２５の実施の形態に係るパルセータの外観図である。
【図６３】第２６の実施の形態に係るパルセータの外観図である。
【図６４】この発明に係るパルセータを回転槽に取り付けた状態図である。
【符号の説明】
【０１２１】
１…洗濯機、５…乾燥洗濯機、１０…筐体、１１…下部筐体、１２…上部筐体、１３…吊棒取付部、１４…吊棒、２０…上カバー、２１…衣類投入口、２２…蓋体、２３…操作パネル部、３０…洗濯槽、３１…モータ、３２…モータの回転軸、４０…回転槽、４１…穴、４２…上部開放部、４３…バランサ、４４…縁体、４５…パルセータ受部、４５ａ…内壁、５０…温風循環部、５１…温風ダクト、５１ａ…第１の上昇ダクト、５１ｂ…下降ダクト、５１ｃ…第２の上昇ダクト、５２…シャワー水冷除湿器、５３…温度センサ、５４…送風機、５５…ヒータ、５６…開閉蓋、１００…パルセータ、１０１…隆起部、１０２…谷部、１０３…補強リブ、１０４…軸受部、１０５…縁部、１０６…リブ、１１０…パルセータ、１１１…通風部、１２０…パルセータ、１２１…傾斜面、１２２…頂点部、１２３…凹曲面、１３０…パルセータ、１３１…凹曲面、Ｐ…パルセータの回転軸、Ｌ１…所定の距離、Ｌ２…段差（振幅幅）。
【図１】
2005087579.tif 000003
【図２】
2005087579.tif 000004
【図３】
2005087579.tif 000005
【図４】
2005087579.tif 000006
【図５】
2005087579.tif 000007
【図６】
2005087579.tif 000008
【図７】
2005087579.tif 000009
【図８】
2005087579.tif 000010
【図９】
2005087579.tif 000011
【図１０】
2005087579.tif 000012
【図１１】
2005087579.tif 000013
【図１２】
2005087579.tif 000014
【図１３】
2005087579.tif 000015
【図１４】
2005087579.tif 000016
【図１５】
2005087579.tif 000017
【図１６】
2005087579.tif 000018
【図１７】
2005087579.tif 000019
【図１８】
2005087579.tif 000020
【図１９】
2005087579.tif 000021
【図２０】
2005087579.tif 000022
【図２１】
2005087579.tif 000023
【図２２】
2005087579.tif 000024
【図２３】
2005087579.tif 000025
【図２４】
2005087579.tif 000026
【図２５】
2005087579.tif 000027
【図２６】
2005087579.tif 000028
【図２７】
2005087579.tif 000029
【図２８】
2005087579.tif 000030
【図２９】
2005087579.tif 000031
【図３０】
2005087579.tif 000032
【図３１】
2005087579.tif 000033
【図３２】
2005087579.tif 000034
【図３３】
2005087579.tif 000035
【図３４】
2005087579.tif 000036
【図３５】
2005087579.tif 000037
【図３６】
2005087579.tif 000038
【図３７】
2005087579.tif 000039
【図３８】
2005087579.tif 000040
【図３９】
2005087579.tif 000041
【図４０】
2005087579.tif 000042
【図４１】
2005087579.tif 000043
【図４２】
2005087579.tif 000044
【図４３】
2005087579.tif 000045
【図４４】
2005087579.tif 000046
【図４５】
2005087579.tif 000047
【図４６】
2005087579.tif 000048
【図４７】
2005087579.tif 000049
【図４８】
2005087579.tif 000050
【図４９】
2005087579.tif 000051
【図５０】
2005087579.tif 000052
【図５１】
2005087579.tif 000053
【図５２】
2005087579.tif 000054
【図５３】
2005087579.tif 000055
【図５４】
2005087579.tif 000056
【図５５】
2005087579.tif 000057
【図５６】
2005087579.tif 000058
【図５７】
2005087579.tif 000059
【図５８】
2005087579.tif 000060
【図５９】
2005087579.tif 000061
【図６０】
2005087579.tif 000062
【図６１】
2005087579.tif 000063
【図６２】
2005087579.tif 000064
【図６３】
2005087579.tif 000065
【図６４】
2005087579.tif 000066